(57)【要約】　　【課題】部品数を少なくして簡単に製造可能である小型の電磁弁を提供する。　　【解決手段】第１の流動管路（８）はアンカープレート（５）の縁領域（３２）においてアンカープレート（５）のコイル（２）側の側面（３３）に開口している。　　【選択図】図１
2004108580.tif 000002
【特許請求の範囲】
【請求項１】
鉄心（３）と固定結合されているコイル（２）と、鉄心（３）に対しコイル長手軸線（２２）の方向に可動に支持されているアンカープレート（５）とを備え、アンカープレート（５）に少なくとも１つの第１の流動管路（８；２６，２７，２８）と少なくとも１つの第２の流動管路（９；２９）とが開口し、コイル（２）に電流が流れたときに少なくとも１つの第１の流動管路（８；２６，２７，２８）と少なくとも１つの第２の流動管路（９；２９）とが流動的に互いに分断される電磁弁において、
　第１の流動管路（８；２６，２７，２８）がアンカープレート（５）の縁領域（３２）においてアンカープレート（５）のコイル（２）側の側面（３３）に開口していることを特徴とする電磁弁。
【請求項２】
第２の流動管路（９；２９）がアンカープレート（５）のコイル（２）とは逆の側の側面（３４）に開口していることを特徴とする、請求項１に記載の電磁弁。
【請求項３】
コイル（２）に電流が流れたときに第１の流動管路（８；２６，２７，２８）がアンカープレート（５）によって閉鎖されていることを特徴とする、請求項１または２に記載の電磁弁。
【請求項４】
第１の流動管路（８；２６，２７，２８）と第２の流動管路（９；２９）とがアンカープレート（５）の周囲に形成した環状隙間（１１）を介して連通可能であることを特徴とする、請求項２または３に記載の電磁弁。
【請求項５】
コイル（２）と鉄心（３）とが共通のケーシング（６）に射出成形されていることを特徴とする、請求項１から４でのいずれか一つに記載の電磁弁。
【請求項６】
ケーシング（６）が第１の流動管路（８；２６，２７，２８）の開口部の領域でアンカープレート（５）のための当接面（２０）を形成し、該当接面（２０）に対し鉄心（３）が後退していることを特徴とする、請求項５に記載の電磁弁。
【請求項７】
電磁弁（１；２１）が特に鉄心（３）と一体に形成されたヨーク（４）を有していることを特徴とする、請求項１から６でのいずれか一つに記載の電磁弁。
【請求項８】
第１の流動管路（８；２６，２７，２８）がケーシング（６）内に形成され、ヨーク（４）が第１の流動管路（８；２６，２７，２８）の開口部の領域に繰り抜き部（１９）を有していることを特徴とする、請求項７に記載の電磁弁。
【請求項９】
ケーシング（６）の周囲に設けた環状管路（１２）によって互いに流動的に連通している複数個の第１の流動管路（８；２６，２７，２８）が設けられていることを特徴とする、請求項５から８でのいずれか一つに記載の電磁弁。
【請求項１０】
複数個の第１の流動管路（８；２６，２７，２８）がコイル（２）の長手軸線（２２）のまわりに対称に配置されていることを特徴とする、請求項９に記載の電磁弁。
【請求項１１】
アンカープレート（５）がコイル（２）から離間する方向へ弾性付勢されていることを特徴とする、請求項１から１０でのいずれか一つに記載の電磁弁。
【請求項１２】
アンカープレート（５）がばね（１３）によって案内されていることを特徴とする、請求項１１に記載の電磁弁。
【請求項１３】
アンカープレート（５）の軸線方向における可動性がストッパー（１４；２４）によって制限されていることを特徴とする、請求項１から１２でのいずれか一つに記載の電磁弁。
【請求項１４】
ストッパー（１４；２４）がケーシングカバー（７；２５）に形成されていることを特徴とする、請求項１３に記載の電磁弁。
【発明の詳細な説明】
【技術分野】
【０００１】
　本発明は、鉄心と固定結合されているコイルと、鉄心に対しコイル長手軸線の方向に可動に支持されているアンカープレートとを備え、アンカープレートに少なくとも１つの第１の流動管路と少なくとも１つの第２の流動管路とが開口し、コイルに電流が流れたときに少なくとも１つの第１の流動管路と少なくとも１つの第２の流動管路とが流動的に互いに分断される電磁弁に関するものである。
【背景技術】
【０００２】
　この種の電磁弁は特許文献１から知られている。この電磁弁は、鉄心を内設したコイルを有している。鉄心にはアンカープレートが配置され、アンカープレートは密封こぶを担持している。鉄心は軸線方向の穴を有し、穴はコイルに電流が流れたときに密封こぶによって閉鎖される。鉄心に設けた穴は鉄心内の磁束に悪影響を与える。これにより、アンカープレートを引き寄せるために使用される力が小さくなる。したがって、十分大きな力をアンカープレートに生じさせることができるようにするには、比較的大きなコイルを使用せねばならない。これにより装置全体が大型化する。
【０００３】
【特許文献１】ドイツ連邦共和国実用新案登録第２０１０４７７０Ｕ１号
【発明の開示】
【発明が解決しようとする課題】
【０００４】
　本発明の課題は、部品数を少なくして簡単に製造可能である小型の電磁弁を提供することである。
【課題を解決するための手段】
【０００５】
　この課題は、冒頭で述べた種類の電磁弁において、本発明によれば、第１の流動管路がアンカープレートの縁領域においてアンカープレートのコイル側の側面に開口していることによって解決される。
【０００６】
　アンカープレートの縁領域に開口する流動ダクトが磁束に与える影響は少ない。したがってコイルと鉄心は、アンカープレートに十分に大きな力を発生させながらも小型に構成することができる。アンカープレートは唯一の可動部材であるので、わずかな力を必要とするにすぎない。
【０００７】
　第２の流動管路がアンカープレートのコイルとは逆の側の側面に開口しているのが有利である。電流が流れた場合、第１の流動管路は直接アンカープレートにより閉鎖される。このようにして補助的な密封要素を省略できる。磁気的に好ましい構成としては、第１の流動管路と第２の流動管路とがアンカープレートの周囲に形成した環状隙間を介して連通可能であるのがよい。アンカープレートは、管流用の破断部を有している必要がないのでマッシブなプレートとして構成されていてよい。同時に、所定の間隔が設けられているので、アンカープレートの外周が傾斜するのが避けられる。
【０００８】
　電磁弁を簡単に製造できるようにするには、コイルと鉄心とが共通のケーシングに射出成形されているのがよい。したがって補助的な固定手段は必要ない。アンカープレートによる良好な密封を達成するため、ケーシングは第１の流動管路の開口部の領域でアンカープレートのための当接面を形成し、該当接面に対し鉄心は後退している。特にプラスチックから成っているケーシングは、アンカープレートのための密封面を形成する。
【０００９】
　好ましい磁束を発生させるため、したがって小型の構成で大きな力を発生させるため、電磁弁は特に鉄心と一体に形成されたヨークを有している。ヨークは鉄心およびコイルとともに完全にケーシング内に射出成形されているのが有利である。第１の流動管路はケーシング内に形成されているのが合目的である。ヨークは第１の流動管路の開口部の領域に繰り抜き部を有しているので、流動管路はケーシングを形成しているプラスチックによって完全に取り囲まれている。ヨークとケーシングとの間の密封を阻害しないようにするため、ヨークも当接面に対し後退しているのが合目的である。
【００１０】
　十分な流動横断面積を確保するため、ケーシングの周囲に設けた環状管路によって互いに流動的に連通している複数個の第１の流動管路が設けらる。複数個の第１の流動管路はコイルの長手軸線のまわりに特に対称に配置されている。復帰力を発生させるため、アンカープレートはコイルから離間する方向へ弾性付勢されている。アンカープレートがばねによって案内されているのが有利である。アンカープレートの軸線方向における可動性は、特にケーシングカバーに形成されているストッパーによって制限されているのが合目的である。
【発明を実施するための最良の形態】
【００１１】
　次に、本発明の実施形態を添付の図面を用いて詳細に説明する。
　図１に図示した電磁弁１はコイル２を有し、コイル２内には鉄心３が配置されている。鉄心３は、コイル２の外周を取り囲んでいるヨーク４と一体に形成されている。コイル２とヨーク４と鉄心３とはケーシング６内に配置され、これらの部材はケーシング６を形成しているプラスチックに射出成形されている。ヨーク４は深鍋状に構成されており、ヨーク４の底部３５は鉄心３と結合されている。ヨーク４の底部３５とは逆の側には、アンカープレート５がコイル２の長手軸線２２の方向へ可動に支持されている。
【００１２】
　ケーシング６は、ヨーク４の底部３５とは逆の側でケーシングカバー７によって閉鎖されている。ケーシングカバー７には中央にストッパー１４が配置され、ストッパー１４はアンカープレート５の移動をコイル長手軸線２２の方向において制限する。
【００１３】
　アンカープーレート５は円板状に構成され、ばね１３によりコイル長手軸線２２に対し同心になるようにケーシング６で支持されている。ケーシング６とアンカープレート５との間には、アンカープレート５の外周に環状隙間１１が形成されている。ケーシング６はアンカープレート５側で当接面２０を形成している。当接面２０には、アンカープレート５の縁領域３２において第１の流動管路８が開口している。第１の流動管路８はたとえば供給部である。この第１の流動管路８はケーシング６内に形成されている。ヨーク４は第１の流動管路８の領域に繰り抜き部１９を有し、その結果第１の流動管路８はケーシング６を形成しているプラスチックによって完全に取り囲まれている。第１の流動管路８を複数個設けて、コイル長手軸線２２に関し対称に配置するのが合目的である。これらの流動管路８はケーシング外周に形成した環状溝１２により互いに流動結合される。環状溝１２はその外周をリングまたはカバー（図示せず）によって閉鎖されている。この場合カバーは、ケーシング６に周回するように形成した溝１５に固定してよい。
【００１４】
　鉄心３と鉄心ヨーク４とは当接面２０まで達していてよい。しかし、当接面２０に対し後方へわずかにずれているのが合目的である。これにより、コイル２に電流が流れたときに、アンカープレート５のコイル２側の側面３３がケーシング６で密閉されるよう保証することができる。したがって、ケーシング６に形成された当接面２０は密封面を形成している。
【００１５】
　アンカープレート５は、コイル２とは逆の側の側面３４において、蜘蛛の巣状渦巻きばね１３の中央部に固定されている。蜘蛛の巣状渦巻ばね１３は図２の側面図に図示されている。蜘蛛の巣状渦巻きばね１３は周回する縁１６を有しており、縁１６はケーシング６に固定されている。縁１６は回転対称に配置されたアーム１７を介して中央固定部分１８と結合され、この中央固定部分１８にアンカープレート５が固定される。アーム１７は縁１６からスパイラル状に固定部分１８へ延びている。蜘蛛の巣状渦巻きばね１３はアンカープレート５を調心し、案内するとともに、アンカープレート５に対しケーシングカバー７の方向へ復帰力を作用させる。蜘蛛の巣状渦巻きばね１３はアーム１７の間に破断部３６を有している。
【００１６】
　電磁弁１は１個または複数個の第１の流動管路８を第２の流動管路９と流動的に連通させるために用いる。第２の流動管路９は、図１の実施形態では排出部である。第２の流動管路９はアンカープレート５のコイル２とは逆の側の側面３４に開口し、ケーシングカバー７に設けた破断部１０を介してケーシング外側と連通している。電流を遮断すると、鉄心３とヨーク４とはアンカープレート５に対し力を発生させないので、アンカープレート５は蜘蛛の巣状渦巻きばね１３を介してストッパー１４に対し押圧され、流動管路８は環状隙間１１を介して第２の流動管路９と流動的に連通する。コイル７に電流を流すと、コイル２が鉄心３とヨーク４のなかに磁場を発生させるので、磁気的なアンカープレート５が引き寄せられる。このときアンカープレート５はケーシング６の当接面２０に当接し、第１の流動管路８を密封する。
【００１７】
　本発明による電磁弁２１の変形実施形態を図３に示す。図１と同一の符号は同一の部材を表わしている。アンカープレート５はコイル圧縮ばね２３を介してケーシング６に対し荷重されている。コイル圧縮ばね２３は片側をアンカープレート５で支持され、他の側をケーシング６で支持されている。この場合コイル圧縮ばね２３は鉄心３とヨーク４との間に支持されている。コイル圧縮ばね２３はアンカープレート５をコイル長手軸線２２の方向へ軸線方向に付勢している。さらに、アンカープレート５の半径方向の位置変化を阻止する処置をとってもよい。アンカープレート５の可動性は、コイル２とは逆の側の側面３４において、ケーシングカバー２５に設けたストッパー２４によって制限されている。ケーシングカバー２５はケーシング６と当接面２０において結合されている。ケーシングカバー２５は中央の開口部３１と破断部３０とを有している。破断部３０はケーシングカバー２５の縁領域に配置されており、第２の流動管路２９を電磁弁２１の外面と連通させている。第２の流動管路２９はアンカープレート５においてケーシング６内に開口している。
【００１８】
　図４の断面図が示すように、３つの第１の流動管路２６，２７，２８が設けられ、これらの流動管路はコイル長手軸線２２のまわりに対称にそれぞれ１２０゜の角度間隔で配置されている。ヨーク４は第１の流動管路２６，２７，２８の領域に繰り抜き部１９を有している。したがって、第１の流動管路２６，２７，２８は完全にケーシング６内に形成されている。
【００１９】
　コイル２の電流を遮断した場合、アンカープレート５は図３に図示した位置にある。第１の流動管路２６，２７，２８は環状隙間１１を介して第２の流動管路２９と流動的に連通している。コイル圧縮ばね２３はアンカープレート５をストッパー２４に対して押圧させる。コイル２に電流が流れると、鉄心３とヨーク４とに磁場が発生して、磁気的なアンカープレート５はケーシング６に引き寄せられる。アンカープレート５はコイル圧縮ばね２３の力に抗してケーシング６の当接面２０に押圧される。鉄心３とヨーク４は当接面２０に対してわずかに後方へずれているので、第１の流動管路２６，２７，２８の好適な密封を達成できる。ストッパー２４は、中央の開口部３１を第２の流動管路２９に対しアンカープレート５で密封させるような、周回する縁として形成されていてよい。この場合中央の開口部３１は、第１の流動管路２６，２７，２８が閉じている場合にだけ第２の流動管路２９と連通する。他方ストッパー２４を複数個の個別の隆起部として構成してもよく、このように構成すると、アンカープレート５がどの位置にあっても第２の流動管路２９は中央の開口部３１と連通する。
【図面の簡単な説明】
【００２０】
【図１】本発明による電磁弁の縦断面図である。
【図２】図１の線ＩＩ−ＩＩによる断面図である。
【図３】本発明による電磁弁の変形実施形態の縦断面図である。
【図４】図３の線ＩＶ−ＩＶによる断面図である。
【符号の説明】
【００２１】
　１　　　　　　　　　電磁弁
　２　　　　　　　　　コイル
　３　　　　　　　　　鉄心
　４　　　　　　　　　ヨーク
　５　　　　　　　　　アンカープーレート
　６　　　　　　　　　ケーシング
　８　　　　　　　　　第１の流動管路
　９　　　　　　　　　第２の流動管路
　１１　　　　　　　　環状隙間
　１３　　　　　　　　ばね
　１４　　　　　　　　ストッパー
　１９　　　　　　　　繰り抜き部
　２０　　　　　　　　当接面
　２１　　　　　　　　電磁弁
　２２　　　　　　　　コイル２の長手軸線
　２４　　　　　　　　ストッパー
　２６，２７，２８　　第１の流動管路
　２９　　　　　　　　第２の流動管路
　３３　　　　　　　　アンカープレートのコイル側側面
　３４　　　　　　　　アンカープレートのコイルとは逆の側の側面
【図１】
2004108580.tif 000003
【図２】
2004108580.tif 000004
【図３】
2004108580.tif 000005
【図４】
2004108580.tif 000006